【手続補正書】
【提出日】平成25年9月30日(2013.9.30)
【手続補正１】
【補正対象書類名】明細書
【補正対象項目名】発明の名称
【補正方法】変更
【補正の内容】
【発明の名称】検出装置及び画像形成装置
【手続補正２】
【補正対象書類名】明細書
【補正対象項目名】００１０
【補正方法】変更
【補正の内容】
【００１０】
上記目的を達成するための本発明の、複数の感光ドラムを有する画像形成装置により形成される画像の重なりずれを検出する検出装置は、四角形の発光面を有する光源と、前記画像を担持して移動する像担持体と、四角形の受光面を有する受光手段と、前記発光面と前記像担持体とを共役関係にし、前記発光面から出射した光束を前記画像に導光する照明光学系と、前記像担持体と前記受光面とを共役関係にし、前記画像にて反射された光束を前記受光面に導光する受光光学系を備え、
前記像担持体上において、前記発光面の共役像の輪郭を形成する直線部と前記受光面の共役像の輪郭を形成する直線部とは平行であることを特徴としている。
本発明の別の実施形態である、複数の感光ドラムを有する画像形成装置により形成される画像の重なりずれを検出する検出装置は、四角形の発光面を有する光源と、前記画像を担持して移動する像担持体と、四角形の受光面を有する受光手段と、前記発光面と前記像担持体とを共役関係にし、前記発光面から出射した光束を前記画像に導光する照明光学系と、前記像担持体と前記受光面を共役関係にし、前記画像にて反射された光束を前記受光面に導光する受光光学系とを有し、前記発光面の前記像担持体上における共役像の輪郭を形成する直線部と前記像担持体の移動方向との成す角度をθａ、前記受光面の前記像担持体上における共役像の輪郭を形成する直線部と前記移動方向との成す角度をθｂとしたとき、
｜θａ−θｂ｜≦１３°
を満足することを特徴としている。
本発明の検出装置のさらなる実施形態においては、前記光源から出射した光束の主光線は、前記像担持体に垂直入射することを特徴とする。
本発明の検出装置のさらなる実施形態においては、前記発光面及び前記受光面の形状は、長方形又は正方形であることを特徴とする。
本発明の検出装置のさらなる実施形態においては、前記発光面の形状は一辺の長さがq1の正方形であり、前記受光面の形状は一辺の長さがq2の正方形であり、前記発光面を物点とし前記像担持体面を像面としたときの前記照明光学系の光学倍率をβ１、前記像担持体面を物点とし前記受光面を像面としたときの前記受光光学系の光学倍率をβ２としたとき、
【数１】
2011150290.tif 000001
を満たすことを特徴とする。
本発明の検出装置のさらなる実施形態は、
【数２】
2011150290.tif 000002
又は
【数３】
2011150290.tif 000003
たすことを特徴とする。
本発明の画像形成装置は、前記検出装置と、前記複数の感光ドラムと、を有することを特徴とする。
【手続補正３】
【補正対象書類名】明細書
【補正対象項目名】００７７
【補正方法】変更
【補正の内容】
【００７７】
フルカラー画像形成部１０には第１〜第４の４つの画像形成ステーション（画像形成部（画像形成手段）Ｐａ〜Ｐｄ）が配置され、各画像形成ステーション（Ｐａ〜Ｐｄ）は感光ドラム（２ａ〜２ｄ）を有する。また、その周りには専用の帯電手段（３ａ〜３ｄ）、画像情報に応じた光束を感光ドラム面上に照射するための走査光学装置（１ａ〜１ｄ）、現像手段（５ａ〜５ｄ）、ドラムクリーニング手段（４ａ〜４ｄ）、そして転写手段（６ａ〜６ｄ）等が各々配置されている。
５１ａ〜５１ｄは各々現像剤容器であり、各現像手段（５ａ〜５ｄ）に各々対応しており、走査光学装置（１ａ〜１ｄ）の水平部の直下で、かつ垂直部に並んで設けられており、円柱形状の現像剤カートリッジを着脱することにより現像剤の補給を行うものである。ここで画像形成ステーション（Ｐａ〜Ｐｄ）は各々シアン画像、マゼンダ画像、イエロー画像、ブラック画像を形成する。
【手続補正４】
【補正対象書類名】明細書
【補正対象項目名】００７８
【補正方法】変更
【補正の内容】
【００７８】
一方、各画像形成ステーションは（Ｐａ〜Ｐｄ）を通過する態様で感光ドラム（２ａ〜２ｄ）の下方に無端ベルト状の転写ベルト（像担持体）６１が配置され、その転写ベルト６１は駆動ローラ６２と従動ローラ６３及び６５に張架され、さらにその表面を清掃するクリーニング手段６４が設けられている。
【手続補正５】
【補正対象書類名】明細書
【補正対象項目名】００７９
【補正方法】変更
【補正の内容】
【００７９】
走査光学装置（１ａ〜１ｄ）は光源手段としての半導体レーザ、該半導体レーザから出射した光束をポリゴンミラーに導光する入射光学手段、該ポリゴンミラーで偏向された光束を感光ドラム（２ａ〜２ｄ）面上に結像させるトーリックレンズと球面レンズ、非球面レンズ等の光学素子とを有する結像手段、該トーリックレンズと光学素子との間に設けた反射部材としての反射ミラー、そしてそれらの光学要素を一体的に収容する収容手段を有している。
【手続補正６】
【補正対象書類名】特許請求の範囲
【補正対象項目名】全文
【補正方法】変更
【補正の内容】
【特許請求の範囲】
【請求項１】
複数の感光ドラムを有する画像形成装置により形成される画像の重なりずれを検出する検出装置であって、
四角形の発光面を有する光源と、
前記画像を担持して移動する像担持体と、
四角形の受光面を有する受光手段と、
前記発光面と前記像担持体とを共役関係にし、前記発光面から出射した光束を前記画像に導光する照明光学系と、
前記像担持体と前記受光面とを共役関係にし、前記画像にて反射された光束を前記受光面に導光する受光光学系と、
を有し、
前記像担持体上において、前記発光面の共役像の輪郭を形成する直線部と前記受光面の共役像の輪郭を形成する直線部とは平行であることを特徴とする検出装置。
【請求項２】
複数の感光ドラムを有する画像形成装置により形成される画像の重なりずれを検出する検出装置であって、
四角形の発光面を有する光源と、
前記画像を担持して移動する像担持体と、
四角形の受光面を有する受光手段と、
前記発光面と前記像担持体とを共役関係にし、前記発光面から出射した光束を前記画像に導光する照明光学系と、
前記像担持体と前記受光面とを共役関係にし、前記画像にて反射された光束を前記受光面に導光する受光光学系と、
を有し、
前記発光面の前記像担持体上における共役像の輪郭を形成する直線部と前記像担持体の移動方向との成す角度をθａ、前記受光面の前記像担持体上における共役像の輪郭を形成する直線部と前記移動方向との成す角度をθｂ、としたとき、
｜θａ−θｂ｜≦１３°
を満たすことを特徴とする検出装置。
【請求項３】
前記発光面及び前記受光面の形状は、長方形又は正方形であることを特徴とする請求項１又は２に記載の検出装置。
【請求項４】
前記発光面の形状は一辺の長さがｑ１の正方形であり、前記受光面の形状は一辺の長さがｑ２の正方形であり、前記発光面を物点とし前記像担持体面を像面としたときの前記照明光学系の光学倍率をβ１、前記像担持体面を物点とし前記受光面を像面としたときの前記受光光学系の光学倍率をβ２、としたとき、
【数１】
2011150290.tif 000004
を満たすことを特徴とする請求項１乃至３のいずれか１項に記載の検出装置。
【請求項５】
【数２】
2011150290.tif 000005
又は
【数３】
2011150290.tif 000006
を満たすことを特徴とする請求項１乃至４のいずれか１項に記載の検出装置。
【請求項６】
前記光源から出射した光束の主光線は、前記像担持体に垂直入射することを特徴とする請求項１乃至５のいずれか１項に記載の検出装置。
【請求項７】
請求項１乃至６のいずれか１項に記載の検出装置と、前記複数の感光ドラムと、を有することを特徴とする画像形成装置。